(57)【要約】【課題】  上向き傾動後対向復帰可能なロール紙空心受けを有するロール紙ホルダを上下間隔が狭い場所に埋め込み設置しても、ロール紙類を容易にセット可能とすること。【解決手段】  ロール紙ホルダ１の左右各側体２に形成したスライド溝３に係入して使用するスライダ４の左右前部における凹所４Ａとロール紙空心受け５との間に可撓片Ｓを介在させた状態で、前記凹所４Ａに空心受け５をその基部で上向き傾動後、前記可撓片Ｓの撓み復元力で対向復帰可能に枢支し、これら復帰状態にある各空心受け５の下向き傾動を前記凹所４Ａの下縁で阻止すると共に、前記各空心受け５で回転可能に支持したロール紙６の外周面に後部枢支の紙切板７の前辺下面７Ｂを圧接し、この下面を経たロール紙繰り出し部Ｐを紙切板７の前辺刃先８でカット可能となした。【選択図】図１
2006068345.tif 000002
【特許請求の範囲】
【請求項１】
平面ほぼコ字状のロール紙ホルダの左右に備えたロール紙空心受けで回転可能に支持したロール紙の上部前寄り外周面に後部枢支の紙切板の前辺下面を圧接し、この下面を経たロール紙繰り出し部を紙切板の前辺刃先でカットできるロール紙ホルダにおいて、その左右各側体の内側に前部開放のスライド溝を対向横設し、これら各溝に前後スライド可能に係入して使用する平面ほぼコ字状のスライダの左右前側にそれぞれ内側と上部とが開放した凹所を形成し、この凹所と空心受けとの間に可撓片を介在させた状態で、前記凹所の前後各対向板に設けた枢支孔にロール紙空心受けの基部前後の突部を対向板弾力に抗して係入することで、これら各突部を支点として各空心受けを外力で上向き傾動後、この外力解除に伴う前記可撓片の撓み復元力で、各空心受けをその基部下面がそれぞれ前記各凹所の下縁に弾接した対向位置に復帰可能に枢支してなるスライド式ロール紙ホルダ。
【請求項２】
平面ほぼコ字状のロール紙ホルダの左右に備えたロール紙空心受けで回転可能に支持したロール紙の上部前寄り外周面に後部枢支の紙切板の前辺下面を圧接し、この下面を経たロール紙繰り出し部を紙切板の前辺刃先でカットできるロール紙ホルダにおいて、その左右各側体の内側に前部開放のスライド溝を対向横設し、これら各溝に前後スライド可能に係入して使用する平面ほぼコ字状のスライダの左右前側にそれぞれ内側と上部とが開放した凹所を形成し、この凹所と空心受けとの間に可撓片を介在させた状態で、前記凹所の前後各対向板に設けた突部にロール紙空心受けの基部前後の枢支孔を素材固有の弾力に抗して係入することで、これら各突部を支点として各空心受けを外力で上向き傾動後、この外力解除に伴う前記可撓片の撓み復元力で、各空心受けをその基部下面がそれぞれ前記各凹所の下縁に弾接した対向位置に復帰可能に枢支してなるスライド式ロール紙ホルダ。
【請求項３】
平面ほぼコ字状のロール紙ホルダの左右に備えたロール紙空心受けで回転可能に支持したロール紙の上部前寄り外周面に後部枢支の紙切板の前辺下面を圧接し、この下面を経たロール紙繰り出し部を紙切板の前辺刃先でカットできるロール紙ホルダにおいて、その左右各側体の内側に前部開放のスライド溝を対向横設し、これら各溝に前後スライド可能に係入して使用する平面ほぼコ字状のスライダの左右前側にそれぞれ内側と上部とが開放した凹所を形成し、この凹所と空心受けとの間に可撓片を介在させた状態で、前記凹所の前後各対向板にそれぞれ形成した枢支孔と突部とにロール紙空心受けの基部前側の突部と基部後側の枢支孔とをそれぞれ対向板弾力に抗して係入することで、これら各突部を支点として各空心受けを外力で上向き傾動後、この外力解除に伴う前記可撓片の撓み復元力で、各空心受けをその基部下面がそれぞれ前記各凹所の下縁に弾接した対向位置に復帰可能に枢支してなるスライド式ロール紙ホルダ。
【請求項４】
平面ほぼコ字状のロール紙ホルダの左右に備えたロール紙空心受けで回転可能に支持したロール紙の上部前寄り外周面に後部枢支の紙切板の前辺下面を圧接し、この下面を経たロール紙繰り出し部を紙切板の前辺刃先でカットできるロール紙ホルダにおいて、その左右各側体の内側に前部開放のスライド溝を対向横設し、これら各溝に前後スライド可能に係入して使用する平面ほぼコ字状のスライダの左右前側にそれぞれ内側と上部とが開放した凹所を形成し、この凹所と空心受けとの間に可撓片を介在させた状態で、前記凹所の前後各対向板にそれぞれ形成した突部と枢支孔とにロール紙空心受けの基部前側の枢支孔と基部後側の突部とをそれぞれ対向板弾力に抗して係入することで、これら各突部を支点として各空心受けを外力で上向き傾動後、この外力解除に伴う前記可撓片の撓み復元力で、各空心受けをその基部下面がそれぞれ前記各凹所の下縁に弾接した対向位置に復帰可能に枢支してなるスライド式ロール紙ホルダ。
【請求項５】
前記枢支孔の上部または突部先端付近に係入補助用ガイド斜面を形成してなる請求項１から請求項４までのいずれか一つの請求項に記載の記載のスライド式ロール紙ホルダ。
【請求項６】
前記スライダ凹所の前後各対向板の突部や枢支孔付近に縦溝を形成してなる請求項１から請求項５までに記載のスライド式ロール紙ホルダ。
【請求項７】
前記各スライド溝の後側も開放し、この開放端からスライダをスライド溝に前向きに係入すると共に、前記スライド溝前板とスライダ後部とにそれぞれ段縁を形成してこれら各段縁同士の対接係合でスライダの前向き抜け止めを施してなる請求項１から請求項６までのいずれか一つの請求項に記載のスライド式ロール紙ホルダ。
【請求項８】
前記スライダの後部上面に前側浮上の撓み弾片を形成し、その弾撥力に抗しスライダを各スライド溝にその前部開放端からスライド溝上部における段縁を経て係入し、この段縁に前記撓み弾片の前端を対接させることで、スライダの前向き抜け止めを施してなる請求項１から請求項７までのいずれか一つの請求項に記載のスライド式ロール紙ホルダ。
【請求項９】
前記スライダの後退使用位置を仮固定するための保持弾片をスライド溝付近におけるホルダ側体に設けた請求項１から請求項８までに記載のスライド式ロール紙ホルダ。
【請求項１０】
前記ホルダの左右各側体にスライド溝を前下がり傾斜で対向形成し、これら各溝に前記スライダをスライド可能に前後スライド可能に係入してなる請求項１から請求項９までのいずれか一つの請求項に記載のスライド式ロール紙ホルダ。
【請求項１１】
前記紙切板の上向き傾斜状態を保持するロック部を紙切板枢支部付近に設けた請求項１から請求項１０までのいずれか一つの請求項に記載のスライド式ロール紙ホルダ。
【請求項１２】
前記可撓片を可撓部に対向ギャップを有し両端を閉じた二枚対向の平帯状可撓片となし、その可撓先端を前記空心受け内の係合溝に係入すると共に、可撓片の固定基部付近を前記スライダの係止溝に係合させることで、この可撓片をスライダと各空心受けとの間に介在してなる請求項１から請求項１１までに記載のスライド式ロール紙ホルダ。
【請求項１３】
前記可撓片をほぼＬ字状の平帯状可撓片となし、その可撓先端を前記空心受け内の係合溝に係入すると共に、前記可撓片の下向き固定基部付近を前記スライダの係止溝に落とし込み係合させてなる請求項１２に記載のスライド式ロール紙ホルダ。
【発明の詳細な説明】
【技術分野】
【０００１】
この発明は、上下の棚板間や壁面凹所などの上下間隔が狭い場所にロール紙ホルダを埋め込み設置しても、ロール紙類を容易に枢支セット可能とすると共に、ロール紙繰り出し切断を確実に実現できるスライド式ロール紙ホルダに関する。
【背景技術】
【０００２】
トイレットなどの壁面に突出固定して使用するタイプの従来のロール紙ホルダとしては、例えば下記の特許文献１や特許文献２に記載のように、平面ほぼコ字状のロール紙ホルダにおける左右の側体にロール紙空心受けを上向き傾動後対向復帰可能に枢支して備え、これら各空心受けで回転可能に支持したロール紙の上部前寄り外周面に前記ホルダ後部に枢支した紙切板の前辺下面を圧接し、この下面を経たロール紙繰り出し部を紙切板の前辺刃先でカットできるロール紙ホルダが周知である。
【特許文献１】特開平８−３２２７５９号公報
【特許文献２】特開平１０−１１７９６６号公報
【０００３】
また、下記の特許文献３に記載のように、平面ほぼコ字状のロール紙ホルダにおける左右の側体にロール紙空心受けを前後水平に傾動後対向復帰可能に枢支して備え、これら各空心受けで回転可能に支持したロール紙の上部前寄り外周面に前記ホルダ後部に枢支した紙切板の前辺下面を圧接し、この下面を経たロール紙繰り出し部を紙切板の前辺刃先でカットできるロール紙ホルダも周知である。
【特許文献３】特開平９−２１５６２８号公報
【発明の開示】
【発明が解決しようとする課題】
【０００４】
前記各従来例のうち、特許文献１と特許文献２に記載のものは、それぞれトイレなどの壁面から突出設置して使用するタイプのロール紙ホルダであり、そのロール紙空心受けにロール紙をその空心で枢支するには、左右のロール紙空心受け間にその下側空所からロール紙を差し込みつつ、これら各空心受けをその復帰弾力に抗し上向きに傾動させ、ロール紙空心や芯管側縁に左右のロール紙空心受けが対向した時点で、これら各空心受けをその復帰弾力でロール紙空心や芯管内に対向復帰させ係入することで、ロール紙を回転可能に枢支セットするものだから、これら従来のロール紙ホルダを上下の棚板間や壁面凹所などに埋め込み設置して使用する場合には、ホルダの上下棚板間隔や壁面凹所の上下各面間隔を大きく空けてロール紙を差し込む空所を設ける必要があり、棚板や壁面凹所に大きな上下間隔が必要となるので、これら各従来例によるロール紙ホルダは、上下間隔が狭い設置場所には設置できず、その使用時には上記ホルダ設置場所の前側にロール紙ホルダが大きく突出して邪魔になるから、スペース的に著しく不利であるし、室内の見栄えも悪いという本質的、かつ大きな問題点が有る。
【０００５】
また、前記特許文献３のロール紙ホルダにおけるロール紙空心受けにロール紙をその空心で枢支するには、左右のロール紙空心受け間にその前側からロール紙を差し込みつつ、これら各空心受けをその復帰弾力に抗し奥向き傾動させ、ロール紙空心や芯管側縁に左右のロール紙空心受けが対向した時点で、これら各空心受けをその復帰弾力でロール紙空心や芯管内に前向きに対向復帰させ係入することで、ロール紙を回転可能に枢支セットするものだから、この特許文献３によるロール紙ホルダは、上下の棚板間や壁面凹所などの上下間隔が狭いホルダ設置場所に埋め込み設置しても、ロール紙空心受けにロール紙を手前から枢支セットして使用できるが、この従来例における各ロール紙空心受けは、ホルダ左右の側体に前後方向に傾動後、前記可撓片の撓み復元力で対向復帰可能に対向枢支したものだから、ロール紙の前方繰り出し時やロール紙カット時に上記ロール紙空心受けがロール紙と共に前方へ「フラフラ」と動き易く、不安定でロール紙を繰り出しカットし辛く、使用勝手が誠に悪いという本質的かつ、大きな問題点が有る。
【０００６】
さらに、上記特許文献３の問題点を解決しようとして空心受けの対向使用位置保形力を強くするべく、空心受け内の前記ばね部材の撓み初めの弾力を予め強く設定すると、この強い弾力に抗しばね部材を所要角度撓ませるに要する力が大幅に強くなってしまい、空心受けを空の芯管またはロール紙側面でそれぞれ前後方向にかなり大きなロール紙押入れ力で強引に撓ませ傾動させる必要が有るから、ロール紙の枢支セット時にその側面を空心受け先端で傷付けたり凹ませてしまうと共に、ロール紙の枢支セットや空の芯管を取り除きが著しく困難になるという互いに相容れない大きな問題点が特許文献３には生じる。
【０００７】
この発明は、上向き傾動後対向復帰可能なロール紙空心受けをロール紙ホルダに対して前後スライド可能に設けることで、上下の棚板間や壁面凹所などの上下間隔が狭い場所に埋め込み設置したロール紙ホルダにロール紙類を容易に枢支セット可能とすると共に、ロール紙繰り出しとその切断とを安定確実に実現することを目的とする。
【課題を解決するための手段】
【０００８】
上記した本発明の目的は、平面ほぼコ字状のロール紙ホルダの左右に備えたロール紙空心受けで回転可能に支持したロール紙の上部前寄り外周面に後部枢支の紙切板の前辺下面を圧接し、この下面を経たロール紙繰り出し部を紙切板の前辺刃先でカットできるロール紙ホルダを構成するに当たり、その左右各側体の内側に対向形成した前部開放のスライド溝に前後スライド可能に係入して使用する平面ほぼコ字状のスライダの左右前側にそれぞれ内側と上部とが開放した凹所を形成し、この凹所と空心受けとの間に可撓片を介在させた状態で、前記凹所の前後各対向板に設けた枢支孔や凹部（または枢支用突部）にロール紙空心受けの基部前後の枢支用突部（または枢支孔や凹部）を係入することで、これら各突部を支点として各空心受けを外力で上向き傾動後、この外力解除に伴う前記可撓片の撓み復元力で、各空心受けをその基部下面がそれぞれ前記各凹所の下縁に弾接した対向位置に復帰可能に枢支したことで達成できた。
【０００９】
ただし、前記スライダ凹所における前板（または後板）だけに枢支孔や凹部（または突部）を形成すると共に、凹所の後板（または前板）だけに突部（または枢支孔や凹部）を形成してこれら枢支孔や凹部と突部とにそれぞれロール紙空心受けの基部前側の突部（または枢支孔や凹部）と基部後側の枢支孔や凹部（または突部）とを前後各対向板の固有弾力に抗し撓ませつつ係入して各空心受けをスライダの前部左右に枢支してもよい。
【発明の効果】
【００１０】
本発明は、以上のような手段を採用したので、以下に記載の効果を奏する。
この発明における請求項１から請求項４までの各発明によれば、前記スライダをスライド溝に沿わせて前方へ引き出した後、左右のロール紙空心受け間にその下側空所からロール紙を差し込み、これら各空心受けを前記可撓片の撓み復元力に抗し上向きに傾動させつつロール紙を差し込むと、このロール紙の空心側縁に左右のロール紙空心受けの先端が対向した時点で、これら各空心受けが上記可撓片の撓み復元力でロール紙空心内に係入して対向復帰するから、ロール紙をその空心で左右のロール紙空心受けに回転可能に枢支セットでき、その後スライダをセット済のロール紙と共に上記スライド溝に沿わせて後退させた使用位置でロール紙を繰り出し使用できる。
【００１１】
したがって、前記本発明によるスライド式ロール紙ホルダは、上下の棚板間や壁面凹所などの上下間隔が狭いロール紙設置場所に埋め込み設置しても、スライダを各空心受けと共に手前に引き出すことで、ロール紙の枢支セットが容易にでき、前記スライダ後退使用位置でロール紙を繰り出し使用できるので、この使用時には上記設置場所の前側にロール紙ホルダが突出せず、室内に邪魔な突出物が無くなり、スペース的に広く使えるという優れた効果が有るほかに、本発明によるロール紙空心受けは、固定済ホルダやスライダに対して前後方向および下向きには動かないので、ロール紙の前方繰り出し時やそのカット時に上記空心受けは妄りに動かず、安定で使用勝手が良いという優れた効果が有る。
【００１２】
また前記四つの各発明によれば、スライダ凹所の前後各対向板のうち、前板（または後板）に枢支孔や凹部（または枢支用突部）を形成すると共に、凹所の後板（または前板）に枢支用突部（または枢支孔や凹部）を形成し、これら枢支孔や凹部と突部とにそれぞれロール紙空心受けの基部前側の枢支用突部（または枢支孔や凹部）と基部後側の枢支孔や凹部（または枢支用突部）とを前後各対向板の固有弾力に抗し前後に撓ませつつ係入して各空心受けをスライダの前部左右に対向枢支できるので、左右の空心受けの実装作業を多様化でき、臨機応変に素早く実装できるという効果も有る。
【００１３】
本発明における請求項５の発明によれば、前記諸効果に加え、前記枢支孔の上部または突部先端付近に係入補助用ガイド斜面を形成したので、スライダに対して空心受けを枢支し易くなったし、また本発明における請求項６の発明のように、前記スライダ凹所の前後各対向板に形成した突部や枢支孔の両側（または片側）における前記対向板に縦溝を形成すれば、突部や枢支孔付近の対向板が撓み易くなり、スライダに対する各空心受けの枢支作業を大幅に簡素化できるという効果を付加でき、さらに本発明における請求項７の発明のように、前記各スライド溝の後側も開放し、これらスライド溝開放端からスライダを前向きに係入すると共に、前記スライド溝前板とスライダ後部とにそれぞれ段縁を形成してこれら各段縁同士の対接係合でスライダの前向き抜け止めを施せば、スライダをスライド溝に軽く動かせる程度に係入しても、ロール紙ホルダからスライダが妄りに抜けないので、より一層軽快かつ、安全に使用できるという効果を付加できた。
【００１４】
また、本発明における請求項８の発明のように、前記スライダの後部上面に前側浮上の撓み弾片を形成し、その弾撥力に抗しスライダを各スライド溝にその前部開放端からスライド溝上部における段縁を経て係入し、この段縁に前記撓み弾片の前端を対接させることで、スライダの抜け止めを施せば、ロール紙ホルダを上下の棚板間に設置した後でも、スライダを各スライド溝に係入してそのまま使用できるという効果を付加でき、さらに本発明における請求項９の発明のように、前記スライダの後退使用位置を仮固定するための保持弾片をスライド溝付近におけるホルダ側体に設けることで、スライダをスライド溝に対して軽く動かせる程度に係入しても、ロール紙の繰り出し時やそのカット時にスライダの無用な妄動を阻止でき、より一層軽快かつ無造作に使用できるという効果を付加でき、さらに、本発明における請求項１０の発明のように、前記左右の各側体にスライド溝を前下がり傾斜で対向形成し、引き出し制限可能にすれば、スライダは下向き斜めに引出せるので、前下がり引き出し後のスライダの上部にさらに大きな空所ができ、ロール紙を左右の空心受けに枢支セットし易くなったという効果を付加できた。
【００１５】
さらに、本発明における請求項１１の発明のように、前記紙切板の上向き傾斜状態を保持するロック部を紙切板枢支部付近に設ければ、ロール紙の補充や芯管の取り除き時に紙切板が邪魔にならず、より一層便利になるし、ロック部自体が目立たずスマートに構成でき、さらに本発明における請求項１２の発明のように、前記可撓片を可撓部に対向ギャップを有し両端を閉じた二枚対向の可撓片となし、その可撓先端を前記空心受け内の係合溝に係入すると共に、前記可撓片の固定基部付近を前記スライダの係止溝に係合させることで、上記可撓片に加わる曲げ応力を二枚対向の弾片全体に分散させることができ、可撓片固有の「撓み撓み復元力のヘタリ」を防止できたし、さらに本発明における請求項１３の発明のように、可撓片をほぼＬ字状の可撓片となし、その可撓先端を前記空心受け内の係合溝に係入すると共に、前記可撓片の下向き固定基部付近を前記スライダの係止溝に落とし込むことで安定に係合できるから、上記可撓片をスライダと各空心受けとの間に容易かつ素早く係合介在させることができるという効果を付加できた。
【発明を実施するための最良の形態】
【００１６】
本発明の実施の形態のうち、先ず、本発明の基本的な形態例を説明する。
本発明の基本的な実施形態は、図１・図２のようなプラスチックや金属で平面ほぼコ字状に成形して作ったロール紙ホルダ１における左右の各側体２の内側に後部開放のスライド溝３を前後に向けて対向横設し、これら各溝３にその後部開放端３Ａ（または前部開放端）から係入して使用する図２のような平面ほぼコ字状のスライダ４の左右前側にそれぞれ内側と上部とが開放した平面ほぼ方形の凹所４Ａを形成し、これら各凹所の前後各対向板４Ｂにそれぞれ空心受け枢支用の枢支孔４Ｃと、その上部に上広がりのガイド斜面４Ｅとを形成し、この斜面４Ｅにより図２のような空心受け５の基部における枢支用突部５Ａを上記枢支孔４Ｃに係入し易くする。
【００１７】
次いで、横長Ｌ字状で可撓部に対向ギャップＧを有し両端を閉じた図２のような二枚対向平帯状の可撓片Ｓの可撓先端Ｓ１を前記空心受け内の係合溝５Ｂに図３のように係入すると共に、前記可撓片Ｓの下向きに曲げた固定基部Ｓ２を前記スライダ凹所４Ａの奥面に形成した下向き係止溝４Ｄに上記図３のように落し込み係合させ、上記凹所４Ａと各空心受け５との間に可撓片Ｓを介在させた状態で、空心受け５の基部における前側の枢支用突部５Ａを先ず、図４のように前記スライダ凹所４Ａにおける前後各対向板４Ｂの前側枢支孔４Ｃに空心受け５を傾けて係入した後、空心受け基部の後側突部５Ａで前記ガイド斜面４Ｅを対向板の固有弾力に抗して後方に僅か撓ませつつ、ロール紙空心受け５の基部後側の突部５Ａを枢支孔４Ｃに図５のように係入することで、各空心受け５をスライダ４の前部左右にそれぞれ可撓片Ｓの撓み撓み復元力に抗する外力で図６のように上向き傾動後、外力解除に伴う上記弾片Ｓの撓み復元力で図１・図３のように対向復帰可能に枢支し、この復帰状態にある各空心受け５の基部付近の下面を前記凹所４Ａの下縁に図３のように対接させることで、復帰状態にある各空心受け５の下向き傾動を阻止可能に構成する。
【００１８】
そして、上記のように空心受け５を左右に枢支したスライダ４を前記スライド溝３にその後部開放端３Ａから図１・図３のように前後スライド可能に係入し、図７のようにスライダ４を引き出したとき、前記スライド溝３の前辺上部の段縁３ａにスライダ４の後側上部に突設した段縁４ａを対接係合させることで、スライダ４の引き出し寸法を制限し、スライダ４が各側体２から抜去しないようにする。
ただし、スライダ４の前側左右に前記各空心受け５を対向枢支する前に、スライダ４だけをスライド溝３に前後スライド可能に係入した後、この係入済のスライダ４の左右凹所に前記各空心受け５を前述した手順で対向復帰可能に枢支して備えてもよく、また前記凹所４Ａと各空心受け５との間に可撓片Ｓを介在させるには、上述したような介在構成の他に、両端を閉じた二枚対向平帯状の可撓片の可撓先端を前記空心受け内の係合溝５Ｂに上記のように係合させると共に、水平の固定基部付近を素材固有の弾力に抗して上向きに曲げて凹所４Ａの奥側面に弾接させて介在しても良い。
【００１９】
なお、スライド溝３に対するスライダ４の前記係合摩擦を手指で動かせる程度で、しかもロール紙の繰り出しとその切断時に前後方向に妄りに動かない程度に設定することで、前記スライド溝３の段縁３ａとスライダ４の段縁４ａとをそれぞれ省略でき、また前記スライダ凹所４Ａの前後各対向板４Ｂのうち前板（または後板）だけに枢支孔や凹部４Ｃを形成すると共に、凹所４Ａの後板（または前板）だけに枢支突部を形成し、これら各枢支孔や凹部４Ｃと枢支突部とにロール紙空心受けの基部前側の枢支突部５Ａ（または枢支孔や凹部）と基部後側の枢支孔や凹部（または枢支突部５Ａ）とを前記対向板４Ｂの固有弾力に抗し係入して各空心受け５をスライダ４の前部左右に対向枢支してもよい。
【００２０】
次いで、ロール紙ホルダ１における左右のロール紙空心受け５にトイレットペーパなどのロール紙６または、ロール巻アルミホイールやフィルム・シート類（以下単にロール紙と略記する）をその芯管６Ａや空心で図１のように枢支するのであるが、この時には先ずスライダ４を手指で前記スライド溝３に対する係合摩擦に抗して図１・図７のように前記段縁４ａがスライド溝段縁３ａに当接する引き出し位置まで前方へ引き出した後、左右の対向しているロール紙空心受け５間にその下側空所からロール紙６を図６・図８のように差し込むと、ロール紙６の両側面で各空心受け５がその可撓片Ｓの弾力に抗しそれぞれ上記各図のように上向きに傾動し、ロール紙芯管６Ａや空心の開口側縁に左右のロール紙空心受け５の先端が対向した時点で、これら各空心受け５はその可撓片Ｓの撓み撓み復元力でロール紙芯管６Ａ内に図１・図３のように係入してほぼ水平に対向復帰し、ロール紙６を左右のロール紙空心受け５に回転可能に枢支セットできる。
【００２１】
さらに、前記ホルダ側体２の後部左右に金属やプラスチック製の紙切板７をその後部枢支部７Ａ（突部や凹所とか枢支孔）で図１・図５のように起伏回動可能に枢支し、その前辺下面７Ｂを前記枢支セット済ロール紙６の上部前寄り外周面に紙切板自己重力やばねなどで図５のように圧接させた後、スライダ４をロール紙６と共に上記スライド溝３に対する係合摩擦に抗して図５のように奥方向に押し動かすことで、ロール紙の使用待機状態にでき、紙切板７の前辺下面７Ｂを経て前方へ繰り出したロール紙６の繰り出し部Ｐを前記紙切板７の前板に埋設した櫛歯状刃先などの紙切板前辺刃先８でカットできる本発明によるスライド式ロール紙ホルダを構成できた。
なお、図５・図７および図８における符号９で示す部分は、上下の棚板４Ｂ間空所や壁面凹所などの上下間隔が狭いロール紙ホルダ設置場所であり、その奥方直立面９Ａにロール紙ホルダ１の後面板１Ａを図７のように止めねじＮで取着して使用する。
【００２２】
本発明の構成は以上のようなもので、以下その使用動作例につき説明する。
前記使用待機状態にあるロール紙６を紙切板７の前辺下面７Ｂを経て図５のように前方へ繰り出した後、ロール紙繰り出し部Ｐを同図の鎖線のように紙切板前辺刃先８に沿わせて上向き斜めに引っ張り上げることで、ロール紙６をそのカット部分Ｑで上記前辺刃先８によりカットして使用できるから、本発明によるスライド式ロール紙ホルダは、図５・図７・図８のように上下の棚板間や壁面凹所などの上下間隔が狭いホルダ設置場所９に固定設置しても、図８のようにロール紙を枢支セットしたり、使用済芯管を容易に取り出せるので、ホルダ設置場所９の前側スペースを広く使えるし、ロール紙空心受け５は、スライダ４に対し前後には動かない構成なので、ロール紙の前方繰り出し時やロール紙カット時に上記ロール紙空心受け５は妄動せず、安定で使用勝手が良い。
【００２３】
ロール紙６を使い終えたときに新しいロール紙６をホルダ１にセットするには、前記スライダ４をスライド溝３に対する係合摩擦に抗して図１・図７のように前記段縁同士が当接する位置まで前方へ引き出した後、前記紙切板７をその枢支部を支点とし、上記各図のように上向き回動させながら使用済のロール紙芯管６Ａを前記ロール紙空心受け５から取り外し、新しいロール紙６を前記のようにロール紙空心受け５にその下側から枢支セットすることができ、その後スライダ４を枢支セット済のロール紙６と共に上記スライド溝３に対する係合摩擦に抗し図５のように奥方向に押し動かして定位した後、紙切板７をロール紙の上部に被せれば、上記各図のようなロール紙の次回使用の待機状態にできる。
【実施例】
【００２４】
ロール紙空心受け５の基部前後の突部５Ａをスライダ凹所４Ａの前後の枢支孔４Ｃに係入するには、空心受け５を前記図４のように傾けて係入する代わりに、空心受け基部の前後の各突部５Ａで凹部前後の各ガイド斜面４Ｅを対向板４Ｂの弾力に抗して同時に外側に撓ませつつ、ロール紙空心受け基部の前後各突部５Ａを凹所４Ａの前後の枢支孔４Ｃに一挙に係入してスライダ４の左右にそれぞれ空心受け５を対向枢支してもよく、またスライダ４は、スライド溝３に対する係合摩擦に抗して引き出したり、後退させる例について説明したが、上記スライダ４は、その後退使用位置をロック弾片（周知の凹凸係合によるものでよいから図示せず）で妄りに動かないように係止すると共に、スライダ４の前向き抜け止めを施すことで、スライド溝３に対して軽く動かせる程度に係入して使用できる。
【００２５】
また、前記ホルダの左右各側体２にスライド溝３を図９のように前下がり傾斜で対向形成し、スライダ４を引き出し制限可能にすることで、スライダ４は無造作に前下がり傾斜で引き出せると共に、引き出し後のスライダ４の上部に大きな空所ができ、ロール紙６を左右の空心受け５に一層枢支セットし易くなったし、さらに、前述したようにスライダ４の引き出し制限用段縁を前記スライド溝３とスライダ４とのそれぞれ前後における各対向部に設けることで、段縁自体が目立たずスマートに構成でき、さらに紙切板７の上向き傾斜状態を保持するロック部（凹所や枢支孔とか突起）を紙切板７の枢支部付近に周知手段で設ければ、ロック部自体が目立たずスマートに構成できる。
【００２６】
さらに前記スライダ４を左右のスライド溝３にその後部開放端３Ａから前述したように係入後、図５・図７および図８における上下の棚板間や壁面凹所などの上下間隔が狭いホルダ設置場所９の奥方直立面９Ａにロール紙ホルダ１の後面板１Ａを図７のように止めねじＮで取着して使用することで、スライダ４の後退抜去を防止できると共に、前記スライダ４の引き出し制限用段縁を形成し易くでき、また前記スライダ４の後部における引き出し制限用段縁を前側浮上の撓み弾片で形成し、その弾撥力に抗しスライダ４を各スライド溝３にその前部から段縁を経て係入することで、前記スライド溝３の後部を閉塞形成できるので、スライダ４の後退抜去防止用の段縁を別個に設ける必要なく、部品点数を削減でき、さらに前記スライダ凹所４Ａの前後各対向板４Ｂに形成した突部や枢支孔４Ｃ付近に縦溝を形成することで、突部や枢支孔４Ｃ付近の対向板４Ｂが撓み易くなり、スライダに対する各空心受けの枢支作業を大幅に簡素化できる。
【産業上の利用可能性】
【００２７】
本発明によるロール紙ホルダを上下間隔が狭いホルダ設置場所９に縦向きに固定設置すれば、ロール紙セット・ロール紙繰り出し使用・使用済ロール紙の芯管取出しなどを容易に実行できる縦向き設置タイプのスライド式ロール紙ホルダとしても利用できる。
【図面の簡単な説明】
【００２８】
【図１】本発明の実施形態例を示す斜視図
【図２】図１に示すものの分解斜視図
【図３】本発明要部の縦断立面図
【図４】本発明によるスライダに空心受けを実装する例の断面図
【図５】図１に示すものの使用例を示す縦断側面図
【図６】本発明によるロール紙のセット途中状態を示す縦断立面図
【図７】本発明によるスライダの引き出し例を示す縦断側面図
【図８】本発明によるロール紙のセット途中状態を示す斜視図
【図９】本発明の他の実施形態例を示す縦断側面図
【符号の説明】
【００２９】
１…ロール紙ホルダ
１Ａ…ホルダ後面板
２…ホルダ側体
３…スライド溝
３ａ…段縁
３Ａ…スライド溝の後部開放端
４…スライダ
４ａ…段縁
４Ａ…凹所
４Ｂ…凹所前後の対向板
４Ｃ…枢支孔（または突部）
４Ｄ…係止溝
４Ｅ…係入補助用ガイド斜面
５…ロール紙空心受け
５Ａ…突部（または枢支孔）
５Ｂ…係合溝
６…ロール紙
６Ａ…ロール紙芯管
７…紙切板
７Ａ…枢支部
７Ｂ…前辺下面
８…紙切板前辺刃先
９…上下間隔が狭いホルダ設置場所
Ｓ…可撓片
Ｓ１…可撓先端
Ｓ２…固定基部
Ｇ…対向ギャップ
Ｐ…ロール紙繰り出し部
Ｑ…ロール紙カット部
【図１】
2006068345.tif 000003
【図２】
2006068345.tif 000004
【図３】
2006068345.tif 000005
【図４】
2006068345.tif 000006
【図５】
2006068345.tif 000007
【図６】
2006068345.tif 000008
【図７】
2006068345.tif 000009
【図８】
2006068345.tif 000010
【図９】
2006068345.tif 000011